(57)【特許請求の範囲】
【請求項１】
送風機、前記送風機のケーシングおよび前記送風機の上部に備えた熱交換器を有する温風暖房機において、下吹き暖房時に室内空気を吸い込むための下吹き用吸込み口と上吹き暖房時に室内空気を吸い込むために床面近傍に設けた上吹き用吸込み口とを切換える風回路切換え手段と、上吹き暖房時に温風を吹き出すための上吹き用吹き出し口と、前記上吹き用吹き出し口に設けた風向変更羽根と、前記風回路切換え手段と連動して前記下吹き用吸い込み口を開閉する開閉機構を具備し、前記風回路切換え手段を駆動制御する風回路切換え制御手段と、前記下吹き用吸い込み口を開閉する開閉機構の開閉制御手段とを有し、前記風回路切換え制御手段の制御信号を受けて前記開閉制御手段が連動して前記開閉機構の開閉制御をおこなう制御部を備えた温風暖房機。
【請求項２】
送風機、前記送風機のケーシングおよび前記送風機の上部に備えた熱交換器を有する温風暖房機において、下吹き暖房時に室内空気を吸い込むための下吹き用吸込み口と上吹き暖房時に室内空気を吸い込むために床面近傍に設けた上吹き用吸込み口とを切換える風回路切換え手段と、上吹き暖房時に温風を吹き出すための上吹き用吹き出し口と、前記上吹き用吹き出し口に設けた風向変更羽根と、前記風回路切換え手段と連動して前記下吹き用吸い込み口を開閉する開閉機構を具備し、前記風回路切換え手段と、前記下吹き用吸い込み口を開閉する開閉機構とを機械的に連動して駆動する切換え駆動手段を備えた温風暖房機。
【発明の詳細な説明】
【０００１】
【発明の属する技術分野】
本発明は、温風を吹き出して暖房を行う温風暖房機に関するものである。
【０００２】
【従来の技術】
従来のこの種の温風暖房機は図９示すようなものが一般に知られている。以下、その構成について図９を参照しながら説明する。図９に示すように、シスターン１、ボイラ２、ポンプ３から構成された室外機４は、上方に配置した熱交換器５や下方に配置した送風機６から構成された室内機７と、接続配管８で接続されている。また、前記室内機７の上部には吸い込み口９が、下部には吹き出し口１０が設けらている。１１は室温検出手段を示
す。
【０００３】
この温風暖房機の動作を説明すると、室外機４のボイラ２が動作してポンプ３によって室内機７に送られてきた温水の温度が所定の温度以上になれば、送風機６が運転を開始し、室内の空気は上部に設けた吸い込み口９から吸い込まれ、熱交換器５で温水と熱交換して加熱されて温風となって下部に設けられた吹き出し口１０から吹き出される。そして、室温検出手段１１が検出した吸い込み温度が設定温度以上になれば送風機６を停止し、設定温度より低くなれば送風機６を再運転することによって室内温度を制御している。さらに、能力制御や低騒音化や気流感の防止のために、室温検出手段１１で検出した吸い込み温度と設定温度との差に応じて、強風、弱風、微風というように、吸い込み温度が設定温度に近づくほど風量を小さくしている。
【０００４】
また、上下吹き出しを切換えるこの種の温風暖房機としては、特公昭６１−３８７７７号公報に記載されているものがある。この温風暖房機は図１０に示すように、室内機７の前面には吸い込み口９が形成され、さらに前面下部と上部には下吹き出し口１０Ａおよび上吹き出し口１０Ｂがそれぞれ形成されている。そして、前記吸い込み口９に対向する位置に熱交換器５が設けられ、さらに、この熱交換器５に対応して送風機６が設けられている。また、下吹き出し口１０Ａ、上吹き出し口１０Ｂにそれぞれ対応して設けられた下部ダンパ１２Ａ、上部ダンパ１２Ｂは吹き出し口切換え手段としてのダンパモータ１３で切換えを行う。
【０００５】
この温風暖房機の動作を説明すると、室内温度が設定温度以下の場合には、ダンパモータ１３が動作して、図１０（ａ）に示すように、下部ダンパ１２Ａで下吹き出し口１０Ａを開き、上部ダンパ１２Ｂで上吹き出し口１０Ｂを閉じ、下吹き出し口１０Ａから温風を吹き出す。また、室内温度が設定温度以上になり暖房運転中断の場合には、図１０（ｂ）に示すように、ダンパモータ１３が動作して下部ダンパ１２Ａで下吹き出し口１０Ａを閉じ、上部ダンパ１２Ｂで上吹き出し口１０Ｂを開き、上吹き出し口１０Ｂから風を吹き出す。
【０００６】
上記図９、図１０に示す従来例の温風暖房機では、室内温度の吸い込み温度が設定温度に近づくほど風量を小さくしていたため、温風はすぐに上昇し、部屋の温度分布が悪いものであった。
【０００７】
また、図１１は室内機７が設置された部屋の空間の斜視図であり、図１２は図１１のＡ面における弱風や微風時の温度分布を示したものである。図１３は図１１のＢ、Ｃ面各面それぞれの、各高さにおいて水平方向の温度の平均を求めて、その分布を示したものである。なお、一点鎖線は部屋全体の平均温度である。両図からわかるように弱風や微風のように風量が小さくなると、温風の温度は高くなり、すぐに上昇し、さらに、吸い込み口９が吹き出し口１０よりも上部にあるため上昇した温風は床面付近に戻ることがないため、温風暖房機の付近や天井近くは温かいがそれ以外の場所の温度が低くなっている。そのため、快適な居住空間が狭く、部屋全体を有効に使えないという課題を有していた。
【０００８】
この課題を解決するために、仮に風量を大きくする（室温が設定温度に近づくと必要暖房能力が小さくなるので風量を大きくすると温水温度を下げるなどして吹き出し温度を下げなければならない）と、気流感や冷風感があり、また、騒音も大きくなるので、快適性が損なわれるという課題がある。
【０００９】
また、前述したように、室内温度の吸い込み温度が設定温度に近づくほど風量を小さくするように制御しているので、室温の変動に応じて送風機６の回転数が変化し、それに伴って騒音値も変化するため、耳障りで不快であった。
【００１０】
さらに、室内温度の吸い込み温度が設定温度以上になると送風機６を停止するため、天井付近の温度は余り変化しないが、床面温度は比較的速く温度が下がり、すぐに足元が寒くなるという課題がある。
【００１１】
【発明が解決しようとする課題】
前記図１０に示す従来例の温風暖房機の場合も、基本的には図９に示す従来例の温風暖房機の場合と同様、風量が小さいと部屋の温度分布が悪くなり、風量が大きいと騒音や気流感や冷風感があるので、快適性が損なわれるという課題がある。そこで本発明は上記する従来例の課題を解決することを目的とするものである。
【００１２】
【課題を解決するための手段】
本発明は上記課題を解決するため、送風機、前記送風機のケーシングおよび前記送風機の上部に備えた熱交換器を有する温風暖房機において、下吹き暖房時に室内空気を吸い込むための下吹き用吸込み口と上吹き暖房時に室内空気を吸い込むために床面近傍に設けた上吹き用吸込み口とを切換える風回路切換え手段と、上吹き暖房時に温風を吹き出すための上吹き用吹き出し口と、前記上吹き用吹き出し口に設けた風向変更羽根と、前記風回路切換え手段と連動して前記下吹き用吸い込み口を開閉する開閉機構を具備することとしたものである。
【００１３】
上記発明によれば、暖房負荷が小さい場合、風回路を上吹出しへ切換えるのと連動して下吹き用吸込み口を閉とすることにより、温側吹き出し口から吹き出された比較的高い温度の温風の吹き出し速度を大きくできるため、より遠くまで循環し、床面近傍に設けた上吹き用吸い込み口から吸い込まれるので部屋の上下温度差が小さく、気流感、冷風感もない、快適な居住空間を得ることができる。
【００１４】
【発明の実施の形態】
本発明は各請求項に記載した構成を実施の形態とすることができるものであるが、その構成と作用を以下に述べる。
【００１５】
請求項１記載のように、送風機、前記送風機のケーシングおよび前記送風機の上部に備えた熱交換器を有す温風暖房機において、下吹き暖房時に室内空気を吸い込むための下吹き用吸込み口と上吹き暖房時に室内空気を吸い込むために床面近傍に設けた上吹き用吸込み口とを切換える風回路切換え手段と、上吹き暖房時に温風を吹き出すための上吹き用吹き出し口と、前記上吹き用吹き出し口に設けた風向変更羽根と、前記風回路切換え手段と連動して前記下吹き用吸い込み口を開閉する開閉機構を設け、風回路切換え手段を駆動制御する風回路切換え制御手段と下吹き用吸い込み口を開閉する開閉機構の開閉制御手段とを有し、前記風回路切換え制御手段の制御信号を受けて前記開閉制御手段が連動して前記開閉機構の開閉制御をおこなう制御部を備えた構成の温風暖房機とすることにより、暖房負荷が小さい場合、風回路を上吹出しへ切換えるのと連動して下吹き用吸込み口を閉とすることにより、熱交換器を通った温風は温側吹き出し口から吹き出されることで、比較的高い温度の温風の吹き出し速度を大きくできるため、天井面に達して全体に広がり、より遠くまで循環し、さらに、壁面に沿って降下し床面に達した後、床面に沿って流れ、床面近傍に設けた上吹き用吸い込み口から吸い込まれるので、部屋の上下温度差が小さく、気流が部屋全体に広がるので気流感、冷風感もなく、快適な居住空間を得ることができ、風回路切換えと下吹き出し用吸い込み口の開閉を制御的に連動させることで、風回路切換え機構と下吹き出し用吸い込み口の開閉機構とが距離的に離れている場合でも確実な連動ができる。また、風回路切換え駆動力と下吹き出し用吸い込み口の開閉駆動力を分離できるので、各々の駆動用モーター等の動力源を小形化できる。
【００１６】
また、請求項２記載のように、風回路切換え手段と下吹き用吸い込み口を開閉する開閉機構を機械的に連動して駆動する切換え駆動手段を備えた構成の請求項１記載の温風暖房機とすることにより、風回路切換えと下吹き出し用吸い込み口の開閉を機械的に連動させることで、風回路切換えに伴う下吹き出し用吸い込み口の開閉が確実に連動する。また、駆動用モーター等の駆動源が１つになるため駆動制御部も１つでよく、駆動源が２つに比較して部品点数の削減、品質確保の向上がはかれる。
【００１７】
【実施例】
以下、本発明の実施例について図面を用いて説明する。
【００１８】
（実施例１）
図１は本発明の実施例１における下吹き出し状態の温風暖房機を示す構成図、図２は同上吹き出し状態の温風暖房機を示す構成図、図３は上吹き出し風量に対する上下温度差を示す同温風暖房機の説明図、図４は熱交換器通過風量に対する熱交換器の暖房能力を示す同温風暖房機の説明図、図５は同温風暖房機の気流説明図、図６は同温風暖房機の垂直温度分布説明図である。
【００１９】
図１、図２において、シスターン１、ボイラ２およびポンプ３を順次連結して構成される室外機４と、熱交換器５、送風機６などから構成される室内機７とは接続配管８で接続されている。前記室内機７の背面の上側には下吹き用吸い込み口９Ａが、下部には上吹き用吸い込み口９Ｂが設けられている。さらに、前記室内機７の前面の下側には下吹き出し口１０Ａが設けられている。また、１４はステッピングモーター、歯車の組合せ等（図示せず）で構成された風回路切換え手段であり、この風回路切換え手段１４は前記送風機６のケーシング１５を歯車等（図示せず）の動力伝達により前記送風機６の回転軸１６と略同一中心で回転させ、上吹き出しと下吹き出しの送風回路を切換えるものである。さらに、前記送風機６の上部に設けられたバイパス風回路１７は上吹き出し時に前記熱交換器５を通過しない送風路である。また、前記室内機７の上部には前記熱交換器５を通過した空気を吹き出す温側吹き出し口１８と前記熱交換器５を通過しない空気を吹き出す冷側吹き出し口１９との上吹き用吹き出し口が設けられている。また、風向変更手段２０は前記温側吹き出し口１８と冷側吹き出し口１９とにそれぞれ設けられた温側風向変更羽根２１と冷側風向変更羽根２２の駆動を行うものである。そして温側風向変更変更羽根２１と冷側風向変更羽根２２とにより風向変更羽根が構成されている。２３は下吹き用吸い込み口９Ａを開閉する開閉機構であり、上下にスライド可能なスライド板で構成され、ステッピングモーター等で構成される開閉駆動手段２４で駆動される。２５は制御部で風回路切換え制御手段２６と風回路切換え制御手段２６の信号を受けて風回路の切換えと連動して開閉機構２３の開閉制御を行う開閉制御手段２７で構成される。
【００２０】
次に動作、作用について説明する。
【００２１】
室内の温度が低く、暖房負荷が大きいときには下吹き出し状態で暖房を行う。
【００２２】
すなわち、風回路切換え制御手段２６の制御信号により風回路切換え手段１４はケーシング１５を送風機６の回転軸１６を中心に下向きに回転させ、開閉制御手段２７は風回路切換え制御手段２６の信号を受けて風回路の切換えと連動してスライド板で構成された開閉機構２３を下吹き用吸い込み口９Ａが開く下方へ移動させ、さらに、風向変更手段２０は温側風向変更羽根２１で温側吹き出し口１８を閉じ、冷側風向変更羽根２２で冷側吹き出し口１９を閉じることによって下吹き出し状態を設定する。そして、室外機４のボイラ２が動作してポンプによって室内機７に送られてきた温水と、送風機６によって下吹き用吸い込み口９Ａから吸い込まれた空気とが、熱交換器５で熱交換して、吸い込まれた空気は加熱されて温風となって下吹き出し口１０Ａから吹き出される。
【００２３】
次に、室内の温度が上昇し、暖房負荷が小さいときには上吹き出し状態で暖房を行う。すなわち、風回路切換え制御手段２６の制御信号により風回路切換え手段１４はケーシング１５を送風機６の回転軸１６を中心に上向きに回転させ、開閉制御手段２７は風回路切換え制御手段２６の信号を受けて風回路の切換えと連動してスライド板で構成された開閉機構２３を下吹き用吸い込み口９Ａが閉じる上方へ移動させ、さらに、風向変更手段２０は温側風向変更羽根２１と冷側風向変更羽根２２とを動作させ、それぞれ温側吹き出し口１８と冷側吹き出し口１９との上吹き用吹き出し口を開口することによって上吹き出し状態を設定する。そして、送風機６によって上吹き用吸い込み口９Ｂから吸い込まれた空気の一部は、下吹き出し状態の場合と同様、熱交換器５で加熱され、温側吹き出し口１８から吹き出される。このとき下吹き用吸い込み口９Ａは開閉機構２３で閉じられているため、熱交換器５を通過した温風はすべて温側吹き出し口１８から吹き出される。また、送風機６によって上吹き用吸い込み口９Ｂから吸い込まれた上記以外の空気は、熱交換器５を通過しないで、バイパス風回路１７を通って、冷側吹き出し口１９から吹き出される。
【００２４】
図３は、横軸に上吹き状態で吹き出される空気の風量をとり、縦軸に部屋の上下の温度差（例えば、床上１８００mmでの水平面の平均温度と床上５０mmでの水平面の平均温度との差）をとって、暖房負荷Ｑに見合う暖房能力Ｑで部屋を暖房した場合の風量と部屋の上下の温度差の関係を示したものである。また、図４は、横軸に熱交換器５を通過する風量をとり、縦軸に熱交換器５の暖房能力をとって、熱交換器５の通過風量と暖房能力の関係を示したものである。今、図３において、部屋の上下温度差をＴにするためには風量Ｖが必要である。仮に、この風量Ｖをすへて熱交換器５に通せば、その時の暖房能力は、図４からわかるように、Ｑａとなる。しかし、この暖房能力Ｑａは、室内の温度が上昇し暖房負荷が小さいときには、暖房負荷に見合った暖房能力Ｑよりもかなり大きくなり、部屋の温度が希望する温度よりも高くなってしまう。そこで、送風機６によって上吹き用吸い込み口９Ｂから吸い込まれた風量Ｖのうちで暖房能力Ｑに必要な風量Ｖｅｘは、熱交換器５を通過し温側吹き出し口１８から吹き出す。また、送風機６によって上吹き用吸い込み口９Ｂから吸い込まれた残りの風量（Ｖ−Ｖｅｘ）は、熱交換器５を通過しないで、バイパス風回路１７を通って冷側吹き出し口１９から吹き出される。
【００２５】
図５は図１１のＡ面における下吹き出し状態と上吹き出し状態での温風の循環経路を示したものであり、図５において、実線は上吹き出し状態、点線は下吹き出し状態の循環経路を示す。図５からわかるように、上吹き出し状態では、上に吹き出した空気の多くが天井面や壁面に沿って流れ、最終的に、床面近傍に設けた上吹き用吸い込み口９Ｂより吸い込まれるので、温風は部屋全体に広がることがわかる。
【００２６】
図６は図１１のＢ、Ｃ面各面それぞれにおいて、各高さおける水平方向の温度の平均を求めて、その分布を示したものである。なお、一点鎖線は部屋全体の平均温度であり、細い実線は図１３で示す従来例の場合であり、太い実線は本発明の場合である。図６からわかるように従来例と比較して、上下の温度差が少なく、また、部屋全体も均一である。特に、室内機７と対向する壁付近の床温度は従来例と比べて高くなっていることがわかる。
【００２７】
また、風回路を上吹出しへ切換えるのと連動して下吹き用吸込み口９Ａを閉とすることにより、熱交換器５を通った温風は温側吹き出し口１８から吹き出されることで、比較的高い温度の温風の吹き出し速度を大きくできるため、天井面に達して全体に広がり、より遠くまで循環し、さらに、壁面に沿って降下し床面に達した後、床面に沿って流れ、床面近傍に設けた上吹き用吸い込み口から吸い込まれるので、部屋の上下温度差が小さく、気流が部屋全体に広がるので気流感、冷風感もなく、快適な居住空間を得ることができる。
【００２８】
また、風回路切換えと下吹き出し用吸い込み口９Ａの開閉を制御的に連動させることで
、風回路切換え手段１４と下吹き出し用吸い込み口９Ａの開閉機構２３とが距離的に離れている場合でも確実な連動ができる。また、風回路切換え駆動力と下吹き出し用吸い込み口の開閉駆動力を分離できるので、各々の駆動用モーター等の動力源を小形化できる。
【００２９】
また、下吹き用吸い込み口９Ａを開閉する開閉機構２３をスライド板とすることで、開時は下吹き用吸い込み口を完全に開口し、閉時は下吹き用吸い込み口を完全に閉止できる。
【００３０】
（実施例２）
図７（ａ）は本発明の実施例２における下吹き出し状態の温風暖房機を示す構成図、図７（ｂ）は同上吹き出し状態の温風暖房機を示す構成図である。
【００３１】
本実施例２において、実施例１と異なる点は、ステッピングモーター、歯車の組合せ等（図示せず）で構成された風回路切換え手段１４と下吹き用吸い込み口９Ａを開閉する開閉機構２３とを歯車２８等の組合せにより機械的に連動して駆動する切換え駆動手段２９を設け、制御部２５は風回路切換え制御手段２６のみの構成としたことである。
【００３２】
なお、実施例１と同一符号の部分は同一構造を有し、説明は省略する。
次に動作、作用を説明する。
【００３３】
室内の温度が低く暖房負荷が大きいときに行う下吹き出し暖房の場合には、図７（ａ）に示すように、風回路切換え制御手段２６の制御信号により風回路切換え手段１４はケーシング１５を送風機６の回転軸１６を中心に下向きに回転させると同時に歯車２８等の組合せにより機械的に連動して駆動する切換え駆動手段２９によって開閉機構２３を下方に移動させて、上吹き用吸い込み口９Ｂを閉じる。その他の動作、作用は実施例１と同様なので説明は省略する。
【００３４】
次に、室内の温度が上昇し暖房負荷が小さいときに行う上吹き出し暖房の場合には、風回路切換え手段１４はケーシング１５を送風機６の回転軸１６を中心に上向きに回転させると同時に歯車２８等の組合せにより機械的に連動して駆動する切換え駆動手段２９によって開閉機構２３を上方に移動させて、下吹き用吸い込み口９Ａを閉じる。、また、風向変更手段２０は温側風向変更羽根２１と冷側風向変更羽根２２とを動作させ、それぞれ温側吹き出し口１８と冷側吹き出し口１９と開口する。
【００３５】
このように、風回路切換えと下吹き出し用吸い込み口９Ａの開閉を機械的に連動させることで、風回路切換えに伴う下吹き出し用吸い込み口９Ａの開閉が確実に連動する。また、駆動用モーター等の駆動源が１つになるため駆動制御部も１つでよく、駆動源が２つの場合に比較して部品点数の削減、品質確保の向上がはかれる。
【００３６】
（実施例３）
図８（ａ）は本発明の実施例３における下吹き出し状態の温風暖房機を示す構成図、図８（ｂ）は同上吹き出し状態の温風暖房機を示す構成図である。
【００３７】
本実施例３において、実施例１または実施例２と異なる点は、開閉機構２３をレバー３０で連接、連動される複数枚の回転ルーバー３１とし開閉駆動手段２４によりレバー３０で連接駆動される構成とした点である。
【００３８】
なお、実施例１または実施例２と同一符号の部分は同一構造を有し、説明は省略する。
【００３９】
次に動作、作用を説明する。室内の温度が低く暖房負荷が大きいときに行う下吹き出し
暖房の場合には、風回路切換え制御手段２６の制御信号により風回路切換え手段１４はケーシング１５を送風機６の回転軸１６を中心に上向きに回転させ、開閉制御手段２７は風回路切換え制御手段２６の信号を受けて風回路の切換えと連動して左回転しレバー３０を上方向へ動かすことでレバー３０と連接連動されたルーバー３１は図８（ａ）に示すように閉止され下吹き用吸い込み口９Ａが閉じられる。
【００４０】
その他の動作、作用は実施例１または実施例２と同様であるので説明は省略する。
【００４１】
次に、室内の温度が上昇し暖房負荷が小さいときに行う上吹き出し暖房の場合には、風回路切換え手段１４はケーシング１５を送風機６の回転軸１６を中心に上向きに回転させ、開閉制御手段２７は風回路切換え制御手段２６の信号を受けて風回路の切換えと連動して右回転しレバー３０を下方向へ動かすことでレバー３０と連接連動されたルーバー３１は図８（ｂ）に示すように開き下吹き用吸い込み口９Ａが開かれる。その他の動作、作用は実施例１または実施例２と同様であるので説明は省略する。
【００４２】
このように、ルーバー３０を回転させる機構としたことで、スライド板をスライド駆動させるのに比較して駆動力が小さくなるため、省エネルギーとなる。
【００４３】
【発明の効果】
以上の説明から明らかなように、本発明によれば、送風機、前記送風機のケーシングおよび前記送風機の上部に備えた熱交換器を有する温風暖房機において、下吹き暖房時に室内空気を吸い込むための下吹き用吸込み口と上吹き暖房時に室内空気を吸い込むために床面近傍に設けた上吹き用吸込み口とを切換える風回路切換え手段と、上吹き暖房時に温風を吹き出すための上吹き用吹き出し口と、前記上吹き用吹き出し口に設けた風向変更羽根と、前記風回路切換え手段と連動して前記下吹き用吸い込み口を開閉する開閉機構を設け、風回路切換え手段を駆動制御する風回路切換え制御手段と下吹き用吸い込み口を開閉する開閉機構の開閉制御手段とを有し、前記風回路切換え制御手段の制御信号を受けて前記開閉制御手段が連動して前記開閉機構の開閉制御をおこなう制御部を備えた温風暖房機であり、暖房負荷が小さい場合、風回路を上吹出しへ切換えるのと連動して下吹き用吸込み口を閉とすることにより、熱交換器を通った温風は温側吹き出し口から吹き出されることで、比較的高い温度の温風の吹き出し速度を大きくできるため、天井面に達して全体に広がり、より遠くまで循環し、さらに、壁面に沿って降下し床面に達した後、床面に沿って流れ、床面近傍に設けた上吹き用吸い込み口から吸い込まれるので、部屋の上下温度差が小さく、気流が部屋全体に広がるので気流感、冷風感もなく、快適な居住空間を得ることができ、風回路切換えと下吹き出し用吸い込み口の開閉を制御的に連動させることで、風回路切換え手段と下吹き出し用吸い込み口の開閉機構とが距離的に離れている場合でも確実な連動ができる。また、風回路切換え駆動力と下吹き出し用吸い込み口の開閉駆動力を分離できるので、各々の駆動用モーター等の動力源を小形化できる。
【図面の簡単な説明】
【図１】  本発明の実施例１における温風暖房機の下吹き出し状態を示す構成図
【図２】  同温風暖房機の上吹き出し状態を示す構成図
【図３】  同温風暖房機の上吹き風量に対する上下温度差を示す説明図
【図４】  同温風暖房機の風量に対する熱交換器能力を示す説明図
【図５】  同温風暖房機の気流説明図
【図６】  同温風暖房機の垂直温度分布説明図
【図７】  （ａ）は本発明の実施例２における下吹き出し状態の温風暖房機を示す構成図
（ｂ）は同上吹き出し状態の温風暖房機を示す構成図
【図８】  （ａ）は本発明の実施例３における下吹き出し状態の温風暖房機を示す構成図
（ｂ）は同上吹き出し状態の温風暖房機を示す構成図
【図９】  第一の従来例における温風暖房機の構成図
【図１０】  第二の従来例における温風暖房機の構成図
【図１１】  第一の従来例における温風暖房機の温度分布説明用の部屋の斜視図
【図１２】  同温風暖房機の吹き出し温度の分布説明図
【図１３】  同温風暖房機の垂直温度分布説明図
【符号の説明】
５  熱交換器
６  送風機
９Ａ  下吹き用吸い込み口
９Ｂ  上吹き用吸い込み口
１４  風回路切換え手段
１５  ケーシング
１８  温側吹き出し口
１９  冷側吹き出し口
２０  風向変更手段
２１  温側風向変更羽根（風向変更羽根）
２２  冷側風向変更羽根（風向変更羽根）
２３  開閉機構
２５  制御部
２６  風回路切換え制御手段
２７  開閉制御手段
２９  切換え駆動手段
３０  レバー
３１  回転ルーバー
【図１】
0003837920.tif 000002
【図２】
0003837920.tif 000003
【図３】
0003837920.tif 000004
【図４】
0003837920.tif 000005
【図５】
0003837920.tif 000006
【図６】
0003837920.tif 000007
【図７】
0003837920.tif 000008
【図８】
0003837920.tif 000009
【図９】
0003837920.tif 000010
【図１０】
0003837920.tif 000011
【図１１】
0003837920.tif 000012
【図１２】
0003837920.tif 000013
【図１３】
0003837920.tif 000014